(57)【要約】【課題】アドレスを容易且つ確実に設定することができ、更にはアドレスの設定結果を明瞭に確認できる発光ユニットを提供する。【解決手段】表示装置の発光単位若しくは装飾表示の発光単位を構成するＬＥＤユニット１等の発光ユニットが、赤外線で送信されるアドレスを有するデータを受信する赤外線受光素子７と、アドレスを記憶するアドレス記憶部６と、前記データからアドレスを認識してアドレス記憶部に記憶させる制御部５を備え、好ましくは制御部５が、アドレスの正常設定の場合とアドレス設定でエラーが生じた場合の表示用ＬＥＤ２の発光パターンを記憶し、正常設定を認識した場合に正常設定の発光パターンで発光し、エラーを認識した場合にエラーの発光パターンで発光する構成とする。【選択図】  図３
2004309986.tif 000002
【特許請求の範囲】
【請求項１】
表示装置の発光単位若しくは装飾表示の発光単位を構成する発光ユニットであって、赤外線で送信されるアドレスを有するデータを受信する赤外線受光素子と、アドレスを記憶するアドレス記憶部と、該データからアドレスを認識し、該アドレスをアドレス記憶部に記憶させる制御部を備えることを特徴とする発光ユニット。
【請求項２】
前記アドレスを有するデータがフォーマットの正当性を検証可能な特定フォーマットのデータであり、前記制御部が、該データのフォーマットの正当性を検証し、該フォーマットの正当性を確認できた場合にのみ前記アドレスをアドレス記憶部に記憶させることを特徴とする請求項１記載の発光ユニット。
【請求項３】
前記制御部が、表示用発光灯の表示用制御信号の無信号時間より長時間の所定時間を記憶し、前記データの入力認識時の直前に於ける該所定時間以上若しくは該所定時間超の間の無信号状態の維持を確認し、該所定時間以上若しくは該所定時間超の間無信号状態が維持されている場合にのみ該データからアドレスを認識することを特徴とする請求項１又は２記載の発光ユニット。
【請求項４】
前記制御部が、前記データの入力認識時から該データからのアドレス抽出が終了するまでの所要時間、若しくは前記データの入力認識時から該データのフォーマット検証が終了するまでの所要時間の間の無信号状態の維持を確認し、該無信号状態が維持されている場合にのみ前記アドレスをアドレス記憶部に記憶させることを特徴とする請求項１、２又は３記載の発光ユニット。
【請求項５】
前記制御部が、アドレスの正常設定の場合とアドレス設定でエラーが生じた場合の表示用発光灯の発光パターンを記憶し、該正常設定を認識した場合に正常設定の発光パターンで表示用発光灯を発光し、該エラーを認識した場合にエラーの発光パターンで表示用発光灯を発光することを特徴とする請求項１、２、３又は４記載の発光ユニット。
【発明の詳細な説明】
【０００１】
【発明の属する技術分野】
本発明は、例えば縦横に多数配設することにより大画面で映像を表示するＬＥＤ表示装置等を構成する発光ユニットに関する。
【０００２】
【従来の技術】
従来、例えば縦横に多数配設することにより大画面で映像を表示するＬＥＤ表示装置を構成する発光ユニットとして、例えば図４に示すＬＥＤユニット１がある。図４のＬＥＤユニット１は、Ｒ（赤）・Ｇ（緑）・Ｂ（青）の三原色の表示用ＬＥＤ２が基板３上に配置されて点灯可能に設けられており、前記表示用ＬＥＤ２及び基板３が上面開口の箱形であるケース４内に収納され、各表示用ＬＥＤ２が発光部の指向方向を前記開口に向けて設けられているものである。
【０００３】
ＬＥＤユニット１のケース４内には、表示用ＬＥＤ２の発光や駆動等を制御するマイクロプロセッサーやプログラムメモリ等のメモリ等からなる制御部５や、設定アドレスを記憶するアドレス記憶部（図示せず）が収容されている。ＬＥＤユニット１のアドレスは、例えば特許文献１の１８頁等に示されるようにディップスイッチで入力することにより設定され、設定されたアドレスがアドレス記憶部に記憶される。そして、ＬＥＤユニット１は、アドレスを設定された後に、基板３上や表示用ＬＥＤ２の周囲に防水等のため樹脂を注入して封止樹脂が設けられて、完成品とされる。
【０００４】
表示動作時に於いては、ＬＥＤユニット１に接続される配線から設定アドレスを対象とする表示用制御信号が送られ、その表示用制御信号に応じて制御部５が所定の表示用ＬＥＤ２を発光する構成である。
【０００５】
尚、他の技術分野の参考技術として、伝送回線に接続される伝送端末のアドレス設定、変更、確認に関し、伝送端末の動作表示用ＬＥＤを光信号の受信素子に兼用し、前記動作表示用ＬＥＤの消灯時に動作表示用ＬＥＤが設定器の発光送信信号を受信し、受信したアドレスをＥＥＰＲＯＭに設定格納する構成や、伝送手順にエラーがあった場合に設定器の表示器にエラー表示を行う構成や、伝送端末が発光出力するアドレスを設定器が読み込む伝送コマンドを発光出力し、伝送端末のアドレスを設定器が確認する構成が特許文献２に開示されている。
【０００６】
【特許文献１】特表２００１−５１４４３２号公報
【特許文献２】特開平５−１９９２４３号公報
【０００７】
【発明が解決しようとする課題】
しかしながら、上記のようにＬＥＤユニット１のアドレスをディップスイッチで設定し、その後に封止樹脂を設ける等でＬＥＤユニット１を完成品とする製造工程では、製造中に誤ったアドレスを設定してしまった場合に設定アドレスの修正をすることができない。更に、各ＬＥＤユニット１に一旦設定したアドレスを後工程で絶えず管理しておく必要があり、管理作業に労力を要する。
【０００８】
本発明は上記課題に鑑み提案するものであって、アドレスを簡単且つ確実に設定することができ、又、設定したアドレスを容易に修正をすることが可能な発光ユニットを提供することを目的とする。
【０００９】
【課題を解決するための手段】
本発明の発光ユニットは、表示装置の発光単位若しくは装飾表示の発光単位を構成する発光ユニットであって、赤外線で送信されるアドレスを有するデータを受信する赤外線受光素子と、アドレスを記憶するアドレス記憶部と、該データからアドレスを認識し、該アドレスをアドレス記憶部に記憶させる制御部を備えることを特徴とする。アドレス記憶部はアドレスを書換可能なものとすると、発光ユニットに必要に応じて適宜のアドレスを書き込むことが可能になるので好適である。尚、発光ユニットは、表示用発光灯としてＬＥＤを用いるＬＥＤユニットとすると好適であるが、必要に応じて、白熱灯、蛍光灯など他の発光灯を用いる構成とすることも可能である。
更に、本発明の発光ユニットは、前記アドレスを有するデータがフォーマットの正当性を検証可能な特定フォーマットのデータであり、前記制御部が、該データのフォーマットの正当性を検証し、該フォーマットの正当性を確認できた場合にのみ前記アドレスをアドレス記憶部に記憶させることを特徴とする。前記構成により、アドレス記憶部への意図しない書込動作を防止することができる。
【００１０】
前記フォーマットの正当性を検証する構成は適宜の構成とすることが可能であり、例えば制御部が、特定フォーマットのデータからアドレスを復号化する復号化データを記憶し、復号化データに基づき特定フォーマットのデータからアドレスを復号化し、少なくとも復号化したアドレスに基づきフォーマットを検証し、フォーマットの正当性を確認できた場合にのみ前記アドレスをアドレス記憶部に記憶させる構成、又は、前記復号化したアドレスに基づくフォーマット検証で、例えば同一のアドレスを複数個有し、各アドレスが所定の規則性で変換されている特定フォーマットの場合に、復号化した各アドレスの一致を確認する或いは復号化した全アドレスが同一であることを検出する構成、又は、復号化前の特定フォーマットのデータについてチェックサム等によりフォーマット検証する構成、又はパリティビットや巡回冗長符号（ＣＲＣ）を有する特定フォーマットのデータとする構成等とすることが可能である。
【００１１】
更に、本発明の発光ユニットは、前記制御部が、表示用発光灯の表示用制御信号の無信号時間より長時間の所定時間を記憶し、前記データの入力認識時の直前に於ける該所定時間以上若しくは該所定時間超の間の無信号状態の維持を確認し、該所定時間以上若しくは該所定時間超の間無信号状態が維持されている場合にのみ該データからアドレスを認識することを特徴とする。前記構成により、例えばＬＥＤユニットの通常の表示動作時等に於けるアドレス記憶部への意図しない書込動作を防止することができる。
【００１２】
更に、本発明の発光ユニットは、前記制御部が、前記データの入力認識時から該データからのアドレス抽出が終了するまでの所要時間、若しくは前記データの入力認識時から該データのフォーマット検証が終了するまでの所要時間の間の無信号状態の維持を確認し、該無信号状態が維持されている場合にのみ前記アドレスをアドレス記憶部に記憶させることを特徴とする。前記構成により、例えば発光ユニットの通常の表示動作時等に於けるアドレス記憶部への意図しない書込動作を防止することができる。
【００１３】
更に、本発明の発光ユニットは、前記制御部が、アドレスの正常設定の場合とアドレス設定でエラーが生じた場合の表示用発光灯の発光パターンを記憶し、該正常設定を認識した場合に正常設定の発光パターンで表示用発光灯を発光し、該エラーを認識した場合にエラーの発光パターンで表示用発光灯を発光することを特徴とする。アドレスの正常設定は、新規に設定する場合でも書き換える場合でもよい。前記構成により、アドレスの設定結果を明瞭に且つ即時に認識することができる。
【００１４】
前記発光パターンは１若しくは複数の表示用発光灯を点灯回数・点灯時間・異なる場所の表示用発光灯による点灯など適宜の所定パターンで発光する構成とすることが可能であるが、色が異なる複数の表示用発光灯のうちの所定色の表示用発光灯を所定パターンで発光させる或いは所定色の複数の表示用発光灯を順次所定パターンで発光させる構成等とすると好適であり、又、発光パターンには所要の表示用発光灯が１回だけ点灯する場合も含まれる。
【００１５】
尚、本発明には、各発明の構成を部分的な作用効果を奏する限度で構成を削除して上位概念化したもの等も含まれ、例えば赤外線以外のデータ設定に於いて、データの入力認識時の直前の無信号状態の維持を確認してアドレスを認識する構成や、設定状態に応じて表示用発光灯を所定パターンで発光する構成等とすることが可能である。
【００１６】
【発明の実施の形態】
次に、本発明の発光ユニット及びそのアドレス設定の具体的な実施形態について説明する。図１は発光ユニットの実施形態であるＬＥＤユニットを示す図、図２は実施形態のＬＥＤユニット及び設定装置を示すブロック図である。
【００１７】
本実施形態のＬＥＤユニット１は、例えば縦横に多数配設され、大画面等で映像を表示するＬＥＤ表示装置の発光単位を構成するものであり、その外観的な構成は図４の従来例とほぼ同様である。即ち、ＬＥＤユニット１は、図１に示すように、Ｒ（赤）・Ｇ（緑）・Ｂ（青）の三原色の画像表示用の各表示用ＬＥＤ２が集合して点灯可能に設けられ、各表示用ＬＥＤ２が略正方形の基板３上の所定箇所に平面状に配置されている。本例のＬＥＤユニット１では、赤色、緑色、青色の各表示用ＬＥＤ２がそれぞれ複数配設され、中央に複数３つの青色ＬＥＤ、その周囲に各３つの赤色ＬＥＤ、緑色ＬＥＤが配設されている。
【００１８】
更に、本実施形態のＬＥＤユニット１には、後述する特定フォーマットのビット列を受信する赤外線受光素子７が基板３上の所定位置に設けられており、前記表示用ＬＥＤ２及び赤外線受光素子７及び基板３は、上面開口の箱形であるケース４内に収納され、各表示用ＬＥＤ２が発光部の指向方向を前記開口に向けて設けられ、又、赤外線受光素子７もその受光方向を前記開口に向けて設けられている。
【００１９】
ＬＥＤユニット１のケース４内には、図２に示すように、後述する無信号状態の確認、特定フォーマットのビット列の認識や復号化や検証、アドレスの書込や対比、表示用ＬＥＤ２の駆動等の所定動作を制御するマイクロプロセッサー、マイクロプロセッサーやワーキングメモリ等と協働する所定の制御プログラム等を記憶するプログラムメモリや、所定の発光パターンや後述する条件１の所定時間や所要データ等を記憶するメモリなどのメモリ等からなる制御部５が収容され、又、設定アドレスを書換可能に記憶するアドレス記憶部６が収容されており、前記アドレス記憶部６はアドレスを電気的に書換可能に保持するＥＥＰＲＯＭ等のメモリであって、複数回の書換等が可能である。
【００２０】
更に、図には省略したが、赤外線受光素子７と制御部５との間には光信号を電気信号に変換する信号変換回路が設けられ、前記信号変換回路で赤外線受光素子７が受光する赤外線の光信号のアドレス或いは特定フォーマットのビット列を電気信号に変換し、制御部５に入力する構成である。前記信号変換回路には既存の信号変換回路を適宜用いることが可能であり、例えば特許文献２の回路構成等を採用することが可能である。尚、Ｐは電源であり、ＬＥＤユニット１或いは制御部５等が所定動作で必要とする電流を供給する。
【００２１】
上記ＬＥＤユニット１は、通常の表示動作時に於いて、ＬＥＤユニット１に接続される配線からアドレス記憶部６に設定されているアドレスを対象とする表示用制御信号を受信し、制御部５がその表示用制御信号の入力に応じて、所定の表示用ＬＥＤ２を発光する構成である。
【００２２】
また、設定装置１０は、図２に示すように、設定装置１０のアドレスの記憶やアドレスの特定フォーマットのビット列への符号化や送信等の所定動作を制御するマイクロプロセッサー、マイクロプロセッサーやワーキングメモリ等と協働する所定の制御プログラム等を記憶するプログラムメモリや、所要データやアドレスを記憶するメモリなどのメモリ等からなる制御部１１と、設定装置１０にアドレスを入力するスイッチや、入力したアドレス或いはその特定フォーマットのビット列を送信するスイッチなど所定の入力が可能な入力部１２と、赤外線の発光によりアドレス或いはその特定フォーマットのビット列を送信する赤外線発光素子１３等を備える。
【００２３】
更に、図には省略したが、制御部１１と赤外線発光素子１３との間には電気信号を光信号に変換する信号変換回路が設けられ、前記信号変換回路で制御部１１から出力される電気信号のアドレス或いは特定フォーマットのビット列を光信号に変換し、赤外線発光素子１３から発光して送信する構成である。前記信号変換回路には既存の信号変換回路を適宜用いることが可能であり、例えば特許文献２の回路構成等を採用することが可能である。尚、Ｐは電源であり、設定装置１０或いは制御部１１等が所定動作で必要とする電流を供給する。
【００２４】
次に、上記設定装置１０によりＬＥＤユニット１に対してアドレスを設定する場合について説明する。図３は実施形態のＬＥＤユニットのアドレス設定の流れを示すフローチャート。
【００２５】
前提としてＬＥＤユニット１は、条件１：赤外線の受信により制御部５が後述するように特定フォーマットのビット列の入力を認識する直前に、制御部５内のメモリの所定の記憶領域に設定されている約１秒間等の所定時間の間、制御部５が表示用制御信号等の入力を認識しない無信号状態であること、条件２：制御部５のビット列の入力認識時から、後述の制御部５によるビット列が特定フォーマットに従っているか否かの解析判断が終了するまで、或いは前記判断終了後にビット列からアドレスの抽出が終了するまでの所要時間、制御部５が表示用制御信号等の入力を認識しない無信号状態が継続すること、という条件１、２を充足した場合にのみアドレスの設定或いは書込が可能になる。
【００２６】
換言すれば、ＬＥＤユニット１は、制御部５のビット列入力の認識直前の所定時間と、前記ビット列入力の認識時から前記解析判断の終了時或いはアドレスの抽出終了時までの所要時間との間、制御部５が継続して表示用制御信号等の入力を認識せず、表示用制御信号等の入力が無い無信号状態が継続した場合にのみ、アドレス記憶部６へのアドレスの設定或いは書込が可能となる。
上記条件１の所定時間は表示用制御信号に断続的に含まれる無信号時間よりも長時間に設定され、例えば画像データの更新サイクル等に基づく１μ秒〜１００ミリ秒程度の表示用制御信号の無信号時間に対し、条件１の所定時間は１００ミリ秒〜１０秒程度で設定する構成等が可能である。前記条件１の所定時間は、安全性のため表示用制御信号の無信号時間の１０倍程度に設定すると好適であり、又、作業効率を悪化させない程度の長さとすると良い。また、条件２の所要時間は、特定フォーマットのフォーマットやビットレート等に依存し、例えば１ミリ秒〜１秒程度である。
【００２７】
そして、設定装置１０によりＬＥＤユニット１に対してアドレスを設定する際には、先ず、例えばアドレスの設定者が、設定装置１０をＬＥＤユニット１と良好な赤外線通信が可能な所定位置や所定距離に配置し、設定装置１０の入力部１２から設定するアドレスを設定装置１０に入力する。設定装置１０の制御部１１は、前記アドレス入力に応じ、入力されたアドレスを認識して制御部１１内のメモリの所定の記憶領域にアドレスを記憶する（Ｓ１）。
【００２８】
その後、アドレスの設定者が、入力部１２からアドレスをＬＥＤユニット１に送信する入力をすると、設定装置１０の制御部１１は、所定の記憶領域に記憶したアドレスを読み出し、記憶する符号化データに基づきアドレスを符号化して赤外線送出用の特定フォーマットのビット列或いは特定フォーマットのデータを生成し（Ｓ２）、赤外線発光素子１３を駆動して赤外線発光素子１３を発光させ、ＬＥＤユニット１の赤外線受光素子７への赤外線照射により、前記特定フォーマットのビット列或いはデータをＬＥＤユニット１へ送信する（Ｓ３）。前記送信の際には上記信号変換回路が制御部１１から出力される前記ビット列を電気信号から光信号に変換する。
【００２９】
前記特定フォーマットのビット列或いはデータの生成では、制御部１１が、そのメモリに記憶する所定のプログラム及び符号化データと協働し、例えば特定のアドレスを記憶する１バイトのアドレスデータを２５６バイト生成、換言すれば同一のアドレスデータを記憶するアドレスデータを２５６個生成し、１番目〜２５６番目までの各アドレスデータに対し順次２進加算してアドレス変換データを生成し、調歩同期形式でスタートビットとストップビットの間に各アドレス変換データを設定し、更に、チェックサムで用いる全アドレス変換データの合計値を演算取得し、前記合計値を記憶する１バイトの合計値データを同様に調歩同期形式でスタートビットとストップビットの間に設定し、調歩同期形式による１〜２５６番目までのアドレス変換データ及び２５７番目の合計値データ等により、非常に冗長な特定フォーマットのビット列或いはデータを生成する。
【００３０】
ＬＥＤユニット１は、設定装置１０から送信された前記特定フォーマットのビット列或いはデータを赤外線受光素子７の受光により受信し（Ｓ４）、上記信号変換回路で光信号から電気信号に変換し、電気信号に変換した前記ビット列が制御部５に入力される。ＬＥＤユニット１の制御部５は、前記ビット列或いはデータの入力を認識し（Ｓ５）、前記ビット列の認識の直前に、制御部５が条件１の所定時間以上の間信号入力を認識していない無信号状態であるか確認し（Ｓ６）、無信号状態で無い場合には前記入力されたビット列或いはデータを削除或いは廃棄する。尚、無信号状態の所定時間の経過はＣＰＵクロックや内蔵タイマー等を利用して認識する。
【００３１】
また、前記無信号状態である場合或いは条件１を充足している場合には、ＬＥＤユニット１の制御部５は、前記ビット列或いはデータが特定フォーマットに従っているか否か解析して判断する（Ｓ７）。前記解析判断では、制御部５が、そのメモリに記憶する所定のプログラムと協働し、入力された前記ビット列或いはデータの各アドレス変換データを認識して、その合計値を演算取得すると共に、入力された前記ビット列或いはデータ中の合計値データから受信した合計値を認識し、下位ビットを対比する等により前記演算取得した合計値と受信した合計値を照合し、チェックサムを施すことにより両合計値の一致を確認して、フォーマット検証する。
【００３２】
更に、制御部５は、記憶している、前記設定装置１０の符号化データに対応する復号化データに基づき、認識した１番目〜２５６番目までのアドレス変換データに対し順次２進減算して各アドレス変換データから各々アドレスデータを取得し、取得した各アドレスデータを照合する等により各アドレスデータが同一のアドレス或いは同一のアドレスデータであることを確認して、フォーマット検証する。
【００３３】
そして、前記フォーマット検証による解析判断の結果、制御部５は、前記チェックサムにより合計値が一致せず、又は、前記各アドレスデータに相違するアドレスデータが含まれることにより、前記ビット列或いはデータが特定フォーマットに従っていないと判断した場合、入力された前記ビット列或いはデータを削除或いは廃棄する。
【００３４】
また、前記フォーマット検証による解析判断の結果、制御部５は、前記チェックサムにより合計値が一致すると共に、前記各アドレスデータが同一のアドレス或いは同一のアドレスデータであることを確認でき、前記ビット列或いはデータが特定フォーマットに従っていると判断した場合、そのアドレスデータのアドレスを認識し、認識したアドレスを制御部５内のメモリの所定の記憶領域に一時記憶保持する（Ｓ８）と共に、認識したアドレスをアドレス記憶部６の所定の記憶領域に書き込んで設定記憶する（Ｓ９）。前記書込の際に、アドレス記憶部６の所定の記憶領域に既に設定アドレスが存在する場合には、存在するアドレスを前記認識したアドレスに書き換える処理を実行する。
【００３５】
その後、ＬＥＤユニット１の制御部５は、前記アドレス記憶部６の所定の記憶領域に書き込んで記憶した設定アドレスを読み出し、その設定アドレスと前記制御部５内のメモリの所定の記憶領域に一時記憶保持するアドレスとが一致するか否か対比して確認し（Ｓ１０）、前記対比の結果、前記読み出した設定アドレスと前記一時記憶保持するアドレスが一致した場合には、そのメモリの所定の記憶領域にアドレスの正常設定に対応して記憶されている所定の正常設定の発光パターンを読み出し、前記正常設定の発光パターンにより表示用ＬＥＤ２を駆動して発光する（Ｓ１１）。
【００３６】
他方に於いて、制御部５は、前記対比の結果、前記読み出した設定アドレスと前記一時記憶保持するアドレスが一致しなかった場合には、そのメモリの所定の記憶領域にアドレスの不一致に対応して記憶されている所定の不一致エラーの発光パターンを読み出し、前記不一致エラーの発光パターンにより表示用ＬＥＤ２を駆動して発光する（Ｓ１２）。
【００３７】
また、制御部５は、アドレスをアドレス記憶部６に書き込む際や、或いは前記一時記憶保持するアドレスと対比するためにアドレス記憶部６に記憶した設定アドレスを読み出す際等に、アドレス記憶部６が正常に反応しない場合には、そのメモリの所定の記憶領域にアドレス記憶部６の異常に対応して記憶されている所定のメモリ異常エラーの発光パターンを読み出し、前記メモリ異常エラーの発光パターンにより表示用ＬＥＤ２を駆動して発光する。尚、例えばアドレス記憶部６に汎用のシリアルＥＥＰＲＯＭ等の制御部５に状態出力がされるメモリを用いる場合には、書込の際等にアドレス記憶部６から制御部５に出力される状態出力に基づき、制御部５が、アドレス記憶部６が正常に反応しないメモリ異常エラーを判定する構成等とすることが可能である。
【００３８】
上記実施形態のＬＥＤユニット１は、アドレス情報を有するデータを赤外線を介して赤外線受光素子７で受光し、前記データに基づきアドレス記憶部６にアドレスを設定する、或いはアドレス記憶部６のアドレスを書き換えることが可能であり、ＬＥＤユニット１に固有のアドレスを容易に設定することができ、又、設定したアドレスを容易に修正をすることができる。
【００３９】
例えば発光単位であるＬＥＤユニット１を縦横に所定間隔で配設し、或いは縦横に隣接して配設してＬＥＤ表示装置を形成した後に、設定装置１０との有線による電気的接続をせずとも、そのＬＥＤユニット１のアドレス設定や再設定を容易に行うことができ、多様な環境に柔軟に適応して設定可能であり、又、ＬＥＤユニット１の製造前或いは完成前にアドレスを設定する作業や、製造中にアドレスを管理する作業を無くすことも可能であり、作業性が向上する。
【００４０】
更に、ＬＥＤユニット１を大量生産した後に、必要な個数のＬＥＤユニット１にアドレスを設定して使用することが可能であることから、効率的に高い歩留まり率で製造することができ、又、ＬＥＤユニット１を有効に使用することができる。又、ディップスイッチでは難しい封止樹脂等による防水構造を容易に確保することができる。
【００４１】
また、ＬＥＤユニット１には、通常の表示動作状態に於いて、図２に示すように、ＬＥＤユニット１の制御部５に表示用制御信号が常時入力され、表示用制御信号には非常に短い無信号時間が断続的に含まれるが、条件１の所定時間を表示用制御信号の無信号時間よりも長時間に設定することにより、制御部５が、通常の表示動作状態時に於いて、表示用制御信号の無信号時間を所定時間として誤認し、その後の表示用制御信号で意図しない書込動作が発生することを防止することが可能である。又、表示用制御信号の無信号時間は非常に短いため、通常の表示動作状態では条件２の所要時間の間無信号状態が継続することは通常あり得ず、表示用制御信号により意図しない書込動作が発生することを防止できる。
【００４２】
更に、本実施形態のＬＥＤユニット１は、アドレス設定或いは書込に上記条件１、２の両条件の充足を要求することにより、例えばＬＥＤユニット１の通常の表示動作状態等に於いて、アドレス記憶部６へ意図しない書込動作が発生することを高い安全性で確実に防止することができる。例えば条件２だけでは、万一制御部５の信号認識時からの所要時間無信号状態が継続した場合に、意図しない書込動作が生ずる可能性が残ることもあるが、かような書込動作も条件１により確実に防止することができる。
【００４３】
更に、ＬＥＤユニット１に設定するアドレスを設定装置１０から赤外線送出する際に、アドレスをＬＥＤユニット１が検証可能な特定フォーマットのビット列で送出し、ＬＥＤユニット１側で受信したビット列が特定フォーマットに従っているか否か正当性を判断して検証し、特定フォーマットに従っている場合にだけビット列から抽出するアドレスを設定する構成により、通常の表示動作状態時やそれ以外のメインテナンス時等に、例えば赤外線受光素子７が様々な外乱光によるビット列をランダムに受信する場合等に、その受信ビット列の情報とアドレスと誤認して書込等の事態を無くす、或いは非常に低くすることができる。
【００４４】
そして、前記ビット列のフォーマット検証と上記条件１、２の充足よる書込動作の組み合わせにより、換言すると特定のフォーマット或いは信号パターンの検証による許可条件と特定の環境による許可条件の充足を要求することにより、ＬＥＤ表示装置やＬＥＤユニット１の電源投入後の如何なる状態に於いても、アドレス設定操作時以外にアドレス記憶部６へ意図しない書込或いは誤った書込が発生することを確実に防止することができる。
【００４５】
また、上記無信号状態である場合或いは上記条件１を充足する場合にのみ、その後のビット列の解析判断等を実行する構成により、例えば表示用制御信号の無信号時間を万一誤認して解析する等の事態を確実に回避することが可能となり、無駄な解析処理等が実行されることを防止できると共に、かような場合の解析処理等に対応可能なプログラムとする等の制御プログラムの複雑化を回避することができる。
【００４６】
また、アドレスの設定結果に応じ、表示用ＬＥＤ２等を所定の発光パターンで発光する構成により、例えばアドレスの設定者等は、正常設定の発光パターンによる発光でＬＥＤユニット１に正常にアドレスが設定されたこと、又、不一致エラーの発光パターンによる発光で、ＬＥＤユニット１でアドレスを正常に設定できなかったこと及びエラー種別として不一致エラーが発生していること、又、メモリ異常エラーの発光パターンによる発光で、ＬＥＤユニット１でアドレスを正常に設定できなかったこと及びエラー種別としてメモリ異常エラーが発生していることを、明瞭に且つ即時に認識することができる。従って、エラー種別に応じて即座に適切な対応を行うこと等が可能となる。
【００４７】
尚、上記実施形態のＬＥＤユニット１では、不一致エラーとメモリ異常エラーのエラーについて所定の発光パターンで表示用ＬＥＤ２を発光する構成について説明したが、この他の適宜のエラーに対しても、アドレス記憶部６にアドレスを設定する際等の所定のエラーの種別に対応させ、それぞれ表示用ＬＥＤ２の所定の発光パターンを制御部５のメモリの所定の記憶領域に設定し、制御部５が、所定のエラー種別に対応する所定の発光パターンを読み出し、その発光パターンで表示用ＬＥＤ２を発光する構成とすることが可能である。
【００４８】
また、設定する同一の発光パターンに対応させるエラーの種別の区分は適宜であり、例えば制御部５が、アドレスをアドレス記憶部６の所定領域に書き込む際にアドレス記憶部６が正常に反応しない場合のメモリ異常エラーと、一時記憶保持するアドレスと対比するためにアドレス記憶部６に記憶した設定アドレスを読み出す際に、アドレス記憶部６が正常に反応しなかった場合のメモリ異常エラーとで、その書込や読出の動作情報に基づき、設定されている異なる発光パターンを読み出す構成等としてもよい。更に、全てのエラーに対して同一の発光パターンを設定し、正常設定とエラーの場合の２つの発光パターンだけを設定することも可能である。
【００４９】
また、アドレスの設定結果を表す表示用ＬＥＤ２の所定の発光パターンは、アドレスの設定結果を認識可能な適宜の発光パターンとすることができ、一例として、アドレスが正常設定された場合には、表示用青色ＬＥＤを１秒点灯した後に表示用緑色ＬＥＤを１秒点灯し、前記読み出した設定アドレスと前記一時記憶保持するアドレスの不一致エラーの場合には、表示用青色ＬＥＤを１秒点灯した後に表示用赤色ＬＥＤを１秒点灯し、前記アドレス記憶部６が正常に反応しないメモリ異常エラーの場合には、表示用赤色ＬＥＤを１秒点灯した後に表示用緑色ＬＥＤを１秒点灯する発光パターン等とすることが可能である。
【００５０】
また、例えば黄色など所定色の受光用ＬＥＤ若しくは送受光用ＬＥＤを赤外線受光素子７として用いる場合には、ＬＥＤユニット１に対するアドレスの設定結果を表す構成として、アドレス設定時等の所定状態に対応させ、表示用ＬＥＤ２の所定の発光パターンと、赤外線受光素子７である受光用ＬＥＤ等の所定の発光パターンを制御部５のメモリの所定の記憶領域に設定し、制御部５が、正常設定や所定種別のエラーなどアドレス設定結果に応じ、表示用ＬＥＤ２又は受光用ＬＥＤ等の所要の発光パターンを読み出し、その発光パターンで表示用ＬＥＤ２又は受光用ＬＥＤ等を発光する構成等とし、所定の発光パターンによる表示用ＬＥＤ２と受光用ＬＥＤ等の発光を併用することも可能であり、係る場合にも表示用ＬＥＤ２による所定の発光パターンによる発光だけの場合と同様の作用効果を得ることが可能である。
【００５１】
前記表示用ＬＥＤ２と受光用ＬＥＤ等の所定の発光パターンによる発光を併用する場合の発光パターンの一例としては、例えばアドレスが正常設定された場合には、表示用青色ＬＥＤを１秒点灯した後に表示用緑色ＬＥＤを１秒点灯し、前記読み出した設定アドレスと前記一時記憶保持するアドレスの不一致エラーの場合には、表示用青色ＬＥＤを１秒点灯した後に表示用赤色ＬＥＤを１秒点灯し、前記アドレス記憶部６が正常に反応しないメモリ異常エラーの場合には、赤外線受光素子７である受光用若しくは送受光用の黄色ＬＥＤを１秒点灯する発光パターン等とすることが可能である。
【００５２】
また、上記実施形態のＬＥＤユニット１はＲＧＢ等の複数の表示用ＬＥＤ２を集合的に設けるＬＥＤユニット１としたが、本発明のＬＥＤユニットは上記実施形態に限定されず、１つのＬＥＤを設ける構成とすることも可能である。
【００５３】
また、上記実施形態では、大画面等で映像を表示するＬＥＤ表示装置を構成するＬＥＤユニット１について説明したが、イルミネーション等の装飾表示用のＬＥＤユニット等についても同様の構成を採用することが可能であり、例えば装飾表示用のＬＥＤユニットの赤外線受光素子がアドレス情報を有する赤外線を受光し、そのアドレスを記憶部に格納し、アドレス設定が正常に行われた場合に、装飾表示用のＬＥＤを所定パターンで発光する構成等とすることが可能である。
【００５４】
また、設定装置１０のデータの符号化及びＬＥＤユニット１のデータの復号化は、上記実施形態以外にも、ＬＥＤユニット１側で受信データの正当性を検証可能な適宜の構成とすることが可能である。また、フォーマットの検証にも適宜の構成を用いることが可能であり、例えばパリティビットや巡回冗長符号（ＣＲＣ）等を用いる構成等とすることが可能である。
【００５５】
また、上記実施形態のＬＥＤユニット１は、上記条件１、２の両条件を充足する場合にアドレス設定或いは書込を実行する構成について説明したが、条件１又は条件２の何れかの条件を充足する場合にアドレス設定或いは書込を実行する構成とすることも可能である。例えば条件１を充足し、制御部５が上記ビット列或いはデータの入力を認識した時点で、制御部５が表示用制御信号の入力を無視或いは拒絶し、条件２の充足を要求しない構成等とすることが可能である。
【００５６】
【発明の効果】
本発明の発光ユニットは、赤外線を受光してアドレスを認識し、そのアドレスを設定する、或いはそのアドレスに書き換えるものであるから、アドレスを確実に且つ簡単に設定することができ、又、設定したアドレスを容易に修正をすることができる効果を奏する。
【００５７】
また、受信するデータのフォーマット検証やアドレスを設定する際の無信号状態の確認等の構成により、誤った書込動作を確実に防止することができ、正確にアドレスを設定することができる。
【００５８】
また、アドレスが正常に設定されたこと、若しくは書換えられたことを表示用のＬＥＤの所定パターンの発光で確認することができるようにしたので、アドレスの設定や書換等のアドレスの設定結果を容易に、又、明瞭且つ即時に確認することができる。
【図面の簡単な説明】
【図１】（ａ）本発明の実施形態のＬＥＤユニットを示す平面図。
（ｂ）同図（ａ）のＬＥＤユニットの正面図。
（ｃ）同図（ｂ）のＬＥＤユニットの側面図。
【図２】実施形態のＬＥＤユニット及び設定装置を示すブロック図。
【図３】実施形態のＬＥＤユニットのアドレス設定の流れを示すフローチャート。
【図４】（ａ）従来ののＬＥＤユニットを示す平面図。
（ｂ）同図（ａ）のＬＥＤユニットの正面図。
（ｃ）同図（ｂ）のＬＥＤユニットの側面図。
【符号の説明】
１  ＬＥＤユニット
２  表示用ＬＥＤ
３  基板
４  ケース
５  制御部
６  アドレス記憶部
７  赤外線受光素子
１０  設定装置
１１  制御部
１２  入力部
１３  赤外線発光素子
【図１】
2004309986.tif 000003
【図２】
2004309986.tif 000004
【図３】
2004309986.tif 000005
【図４】
2004309986.tif 000006